(57)【要約】  印刷パラメータ取得装置は、取得部と、出力部とを備える。取得部は、基板にはんだを印刷するときに使用する部材を特定する印刷条件を取得する。出力部は、印刷条件、印刷機の駆動の制御に用いられる印刷パラメータおよび印刷パラメータの信頼度が関連付けられて記憶されているデータベースから、取得部によって取得された印刷条件に対応する印刷条件に関連付けられている印刷パラメータであって信頼度が所定レベル以上の印刷パラメータを出力する。
2020217510.tif 000002
【特許請求の範囲】
【請求項１】
基板にはんだを印刷するときに使用する部材を特定する印刷条件を取得する取得部と、
前記印刷条件、印刷機の駆動の制御に用いられる印刷パラメータおよび前記印刷パラメータの信頼度が関連付けられて記憶されているデータベースから、前記取得部によって取得された前記印刷条件に対応する前記印刷条件に関連付けられている前記印刷パラメータであって前記信頼度が所定レベル以上の前記印刷パラメータを出力する出力部と、
を備える印刷パラメータ取得装置。
【請求項２】
基板にはんだを印刷するときに使用する部材を特定する印刷条件を取得する取得部と、
前記印刷条件、印刷機の駆動の制御に用いられる印刷パラメータおよび前記印刷パラメータの信頼度が関連付けられて記憶されているデータベースから、前記取得部によって取得された前記印刷条件に対応する前記印刷条件に関連付けられている前記印刷パラメータおよび前記印刷パラメータの前記信頼度を出力する出力部と、
を備える印刷パラメータ取得装置。
【請求項３】
前記データベースは、
前記印刷機の製造者によって設けられる第一データベースと、
前記印刷機の使用者が前記印刷機を使用して基板製品を生産したときに用いられた前記印刷条件、前記印刷パラメータおよび前記印刷パラメータの前記信頼度が関連付けられて記憶される第二データベースと、
を備える請求項１または請求項２に記載の印刷パラメータ取得装置。
【請求項４】
前記第二データベースは、前記印刷機を駆動させる生産プログラムに含まれる前記印刷パラメータのうちの少なくとも一部が変更されたときに、前記印刷条件、変更後の前記印刷パラメータおよび変更後の前記印刷パラメータの前記信頼度を新たに関連付けて記憶する請求項３に記載の印刷パラメータ取得装置。
【請求項５】
前記出力部は、前記取得部によって取得された前記印刷条件と前記データベースに記憶されている前記印刷条件との合致度について、前記印刷条件ごとの重み付けを示す係数を乗じて点数化し、前記合致度を示す合致点数が高いほど前記取得部によって取得された前記印刷条件と前記データベースに記憶されている前記印刷条件とが対応していると判断する請求項１〜請求項４のいずれか一項に記載の印刷パラメータ取得装置。
【請求項６】
前記取得部は、前記印刷機の使用者による前記係数の変更を受け付ける請求項５に記載の印刷パラメータ取得装置。
【請求項７】
前記印刷パラメータの前記信頼度は、前記合致点数によって表され、
前記出力部は、前記合致点数が高いものから順に前記印刷パラメータを出力する請求項５または請求項６に記載の印刷パラメータ取得装置。
【請求項８】
前記印刷パラメータの前記信頼度は、前記印刷パラメータを使用して生産した基板製品の生産数によって表され、
前記出力部は、前記生産数が多いものから順に前記印刷パラメータを出力する請求項１〜請求項７のいずれか一項に記載の印刷パラメータ取得装置。
【請求項９】
前記印刷パラメータの前記信頼度は、前記印刷機が前記基板の搬入を開始してから前記基板に前記はんだを印刷して前記印刷機から前記基板を搬出可能になるまでの間のスループットによって表され、
前記出力部は、前記スループットが高いものから順に前記印刷パラメータを出力する請求項１〜請求項８のいずれか一項に記載の印刷パラメータ取得装置。
【請求項１０】
前記印刷パラメータの前記信頼度は、前記印刷パラメータを使用して複数の基板製品を生産したときの良品の割合である良品率によって表され、
前記出力部は、前記良品率が高いものから順に前記印刷パラメータを出力する請求項１〜請求項９のいずれか一項に記載の印刷パラメータ取得装置。
【請求項１１】
前記印刷パラメータの前記信頼度は、前記基板に印刷された前記はんだの面積、高さおよび体積の各々についての目標値に対する偏差によって表され、
前記出力部は、前記偏差が小さいものから順に前記印刷パラメータを出力する請求項１〜請求項１０のいずれか一項に記載の印刷パラメータ取得装置。
【請求項１２】
前記印刷条件は、前記部材である前記基板、前記はんだ、マスクおよびスキージのうちの少なくとも一つを特定する請求項１〜請求項１１のいずれか一項に記載の印刷パラメータ取得装置。
【請求項１３】
前記印刷パラメータは、印刷速度、印刷圧力、版離れ速度、版離れ距離、マスクのクリーニング間隔およびクリーニング方法、並びに、印刷時のスキージの角度のうちの少なくとも一つを制御する際の制御パラメータである請求項１〜請求項１２のいずれか一項に記載の印刷パラメータ取得装置。
【請求項１４】
基板にはんだを印刷するときに使用する部材を特定する印刷条件を取得する取得工程と、
前記印刷条件、印刷機の駆動の制御に用いられる印刷パラメータおよび前記印刷パラメータの信頼度が関連付けられて記憶されているデータベースから、前記取得工程によって取得された前記印刷条件に対応する前記印刷条件に関連付けられている前記印刷パラメータであって前記信頼度が所定レベル以上の前記印刷パラメータを出力する出力工程と、
を備える印刷パラメータ取得方法。
【請求項１５】
基板にはんだを印刷するときに使用する部材を特定する印刷条件を取得する取得工程と、
前記印刷条件、印刷機の駆動の制御に用いられる印刷パラメータおよび前記印刷パラメータの信頼度が関連付けられて記憶されているデータベースから、前記取得工程によって取得された前記印刷条件に対応する前記印刷条件に関連付けられている前記印刷パラメータおよび前記印刷パラメータの前記信頼度を出力する出力工程と、
を備える印刷パラメータ取得方法。
【発明の詳細な説明】
【技術分野】
【０００１】
本明細書は、印刷パラメータ取得装置および印刷パラメータ取得方法に関する技術を開示する。
【背景技術】
【０００２】
特許文献１に記載の印刷方法は、プリント基板のサイズに応じた印刷圧力を予めバックデータとして取得しておく。そして、印刷機は、バックデータを元に基板データから最適な印刷圧力を自動的に呼び出して印刷を始める。また、特許文献１に記載の印刷方法は、メタルマスクの種類に応じた印刷速度および版離れ速度を予めバックデータとして取得しておく。そして、印刷機は、バックデータを元にメタルマスクの種類から最適な印刷速度および版離れ速度を自動的に呼び出して印刷を始める。【０００３】
さらに、特許文献１に記載の印刷方法は、クリームはんだの種類（メーカ、粘度など）に応じた印刷速度および版離れ速度を予めバックデータとして取得しておく。そして、印刷機は、バックデータを元にクリームはんだの種類から最適な印刷速度および版離れ速度を自動的に呼び出して印刷を始める。これらにより、特許文献１に記載の印刷方法は、生産開始時および機種切り替え時の作業者による印刷圧力、印刷速度および版離れ速度の調整を省略しようとしている。【０００４】
特許文献２に記載のデータ管理システムでは、各電子部品組立工場は、自工場で装着テストを終えた検証済みの搭載部品情報をホストコンピュータのデータベースに登録する。データベースは、搭載部品情報名が特定の書式によって一般化されており、他の電子部品組立工場が利用しやすいように検索エンジンを提供する。搭載部品情報には、電子部品の形状データ、寸法データ、電子部品と電子部品組立機の関係を記述する吸着条件などが記載されている。【０００５】
また、データベースからダウンロードした試用版の搭載部品情報を使用者が使用できないときに、ホストコンピュータは、当該搭載部品情報の評価ランクを下げる。逆に、データベースからダウンロードした試用版の搭載部品情報を使用者が使用できたときに、ホストコンピュータは、当該搭載部品情報の評価ランクを上げる。評価ランクは、情報の信頼性の目安として、搭載部品情報の使用者に公開される。これらにより、特許文献２に記載のデータ管理システムは、搭載部品情報の使用者に対して、情報の有効性を判断する材料を提供しようとしている。
【先行技術文献】
【特許文献】
【０００６】
【特許文献１】特開平７−３２７１７号公報
【特許文献２】特開２００３−３２３４８７号公報
【発明の概要】
【発明が解決しようとする課題】
【０００７】
しかしながら、特許文献１に記載の印刷方法では、バックデータは、種類ごとに個別に管理されている。そのため、印刷機の駆動の制御に用いられる印刷パラメータをバックデータから選択して出力する作業が煩雑になる可能性がある。また、特許文献１には、最適な条件が如何なる条件を示すのか記載されていない。さらに、特許文献２に記載のデータ管理システムは、搭載部品情報を管理するものであり、印刷パラメータを管理するものではない。【０００８】
このような事情に鑑みて、本明細書は、印刷機の駆動の制御に用いられる印刷パラメータをより好適に出力可能な印刷パラメータ取得装置および印刷パラメータ取得方法を開示する。
【課題を解決するための手段】
【０００９】
本明細書は、取得部と、出力部とを備える第一の印刷パラメータ取得装置を開示する。前記取得部は、基板にはんだを印刷するときに使用する部材を特定する印刷条件を取得する。前記出力部は、前記印刷条件、印刷機の駆動の制御に用いられる印刷パラメータおよび前記印刷パラメータの信頼度が関連付けられて記憶されているデータベースから、前記取得部によって取得された前記印刷条件に対応する前記印刷条件に関連付けられている前記印刷パラメータであって前記信頼度が所定レベル以上の前記印刷パラメータを出力する。【００１０】
また、本明細書は、取得部と、出力部とを備える第二の印刷パラメータ取得装置を開示する。前記取得部は、基板にはんだを印刷するときに使用する部材を特定する印刷条件を取得する。前記出力部は、前記印刷条件、印刷機の駆動の制御に用いられる印刷パラメータおよび前記印刷パラメータの信頼度が関連付けられて記憶されているデータベースから、前記取得部によって取得された前記印刷条件に対応する前記印刷条件に関連付けられている前記印刷パラメータおよび前記印刷パラメータの前記信頼度を出力する。【００１１】
さらに、本明細書は、取得工程と、出力工程とを備える第一の印刷パラメータ取得方法を開示する。前記取得工程は、基板にはんだを印刷するときに使用する部材を特定する印刷条件を取得する。前記出力工程は、前記印刷条件、印刷機の駆動の制御に用いられる印刷パラメータおよび前記印刷パラメータの信頼度が関連付けられて記憶されているデータベースから、前記取得工程によって取得された前記印刷条件に対応する前記印刷条件に関連付けられている前記印刷パラメータであって前記信頼度が所定レベル以上の前記印刷パラメータを出力する。【００１２】
また、本明細書は、取得工程と、出力工程とを備える第二の印刷パラメータ取得方法を開示する。前記取得工程は、基板にはんだを印刷するときに使用する部材を特定する印刷条件を取得する。前記出力工程は、前記印刷条件、印刷機の駆動の制御に用いられる印刷パラメータおよび前記印刷パラメータの信頼度が関連付けられて記憶されているデータベースから、前記取得工程によって取得された前記印刷条件に対応する前記印刷条件に関連付けられている前記印刷パラメータおよび前記印刷パラメータの前記信頼度を出力する。
【発明の効果】
【００１３】
第一および第二の印刷パラメータ取得装置によれば、出力部は、印刷条件、印刷パラメータおよび印刷パラメータの信頼度が関連付けられて記憶されているデータベースから、取得部によって取得された印刷条件に対応する印刷条件に関連付けられている印刷パラメータを出力する。よって、第一および第二の印刷パラメータ取得装置は、印刷条件、印刷パラメータおよび印刷パラメータの信頼度の管理が容易であり、印刷パラメータの出力が容易である。また、第一の印刷パラメータ取得装置の出力部は、信頼度が所定レベル以上の印刷パラメータを出力する。第二の印刷パラメータ取得装置の出力部は、印刷パラメータおよび印刷パラメータの信頼度を出力する。よって、第一および第二の印刷パラメータ取得装置は、印刷機の駆動の制御に用いられる印刷パラメータをより好適に出力することができる。印刷パラメータ取得装置について上述したことは、印刷パラメータ取得方法についても同様に言える。
【図面の簡単な説明】
【００１４】
【図１】印刷機１の構成例を示す断面図である。
【図２】第一の印刷パラメータ取得装置１００および第二の印刷パラメータ取得装置２００の制御ブロックの一例を示すブロック図である。
【図３】第一の印刷パラメータ取得装置１００および第二の印刷パラメータ取得装置２００による制御手順の一例を示すフローチャートである。
【図４】データベース６０に記憶されているデータの一例を示す模式図である。
【図５Ａ】入力画面の一例を示す模式図である。
【図５Ｂ】出力画面の一例を示す模式図である。
【図６】合致点数の算出方法の一例を示す模式図である。
【図７】基板９０に印刷されたはんだ８０の面積の偏差を表示する表示方法の一例を示す図である。
【発明を実施するための形態】
【００１５】
１．実施形態
１−１．印刷機１の構成例
本実施形態の印刷機１は、スキージ３４によって、はんだ８０をマスク７０に沿って移動させて基板９０に印刷処理を実行する。印刷機１は、基板９０に所定の対基板作業を行って基板製品を生産する対基板作業機に含まれる。印刷機１は、印刷検査機、部品装着機、リフロー炉および外観検査機などの対基板作業機（いずれも図示略）と共に、基板生産ラインを構成している。
【００１６】
図１に示すように、印刷機１は、基板搬送装置１０と、マスク支持装置２０と、スキージ移動装置３０と、表示装置４０と、制御装置５０とを備えている。図１に示すように、基板９０の搬送方向（図１の前後方向）をＸ軸方向とし、Ｘ軸に直交する印刷機１の前後方向（図１の左右方向）をＹ軸方向とし、Ｘ軸およびＹ軸に直交する鉛直方向（図１の上下方向）をＺ軸方向とする。
【００１７】
基板搬送装置１０は、印刷対象の基板９０を搬送する。基板９０は、回路基板であり、電子回路および電気回路のうちの少なくとも一方が形成される。基板搬送装置１０は、印刷機１の基台２に設けられる。基板搬送装置１０は、例えば、Ｘ軸方向に延びるベルトコンベアによって、パレット上に配置された基板９０を搬送する。基板搬送装置１０は、印刷機１に搬入された基板９０を保持する基板保持部１１を備えている。基板保持部１１は、マスク７０の下面側の所定の位置において、マスク７０の下面に基板９０の上面を密着させた状態で基板９０を保持する。
【００１８】
マスク支持装置２０は、基板搬送装置１０の上方に配置される。マスク支持装置２０は、一対の支持台（図１では、一の支持台が図示されている。）によって、マスク７０を支持する。一対の支持台は、正面方向視の印刷機１の左側および右側に配置され、Ｙ軸方向に沿って延びるように形成されている。なお、図１は、印刷機１をＹ軸方向に沿って切断した一部断面図であり、側面方向視の印刷機１の内部と、マスク７０および基板９０の断面とが模式的に示されている。マスク７０には、基板９０の配線パターンに対応した位置において貫通する開口部７１が形成されている。マスク７０は、例えば、外周縁に設けられた枠部材を介して、マスク支持装置２０に支持される。
【００１９】
スキージ移動装置３０は、スキージ３４をマスク７０に垂直な方向（Ｚ軸方向）に昇降させるとともに、スキージ３４をマスク７０の上面においてＹ軸方向に移動させる。スキージ移動装置３０は、ヘッド駆動装置３１と、スキージヘッド３２と、一対の昇降装置３３，３３と、一対のスキージ３４，３４とを備えている。ヘッド駆動装置３１は、印刷機１の上部に配置されている。ヘッド駆動装置３１は、例えば、送りねじ機構などの直動機構によって、スキージヘッド３２をＹ軸方向に移動させることができる。
【００２０】
スキージヘッド３２は、ヘッド駆動装置３１の直動機構を構成する移動体にクランプして固定される。スキージヘッド３２は、一対の昇降装置３３，３３を保持する。一対の昇降装置３３，３３の各々は、スキージ３４を保持し、互いに独立して駆動することができる。一対の昇降装置３３，３３の各々は、例えば、エアーシリンダなどのアクチュエータを駆動させて、保持するスキージ３４を昇降させる。
【００２１】
一対のスキージ３４，３４は、マスク７０の上面を摺動して、マスク７０の上面に供給されたはんだ８０をマスク７０に沿って移動させる。はんだ８０は、クリームはんだ（はんだペースト）を用いることができる。はんだ８０がマスク７０の開口部７１から基板９０に刷り込まれて、マスク７０の下面側に配置された基板９０に、はんだ８０が印刷される。本実施形態では、一対のスキージ３４，３４の各々は、印刷方向（Ｙ軸方向）に直交するＸ軸方向に沿って延びるように形成されている板状部材である。
【００２２】
一対のスキージ３４，３４のうちの前側（図１の左側）のスキージ３４は、前側から後側に向かってはんだ８０を移動させる印刷処理に用いられ、印刷機１の前側から後側に向かう方向を進行方向とする。一対のスキージ３４，３４のうちの後側（図１の右側）のスキージ３４は、後側から前側に向かってはんだ８０を移動させる印刷処理に用いられ、印刷機１の後側から前側に向かう方向を進行方向とする。また、いずれのスキージ３４においても、進行方向と反対の方向を後退方向とする。
【００２３】
一対のスキージ３４，３４の各々は、進行側に位置する前面部が下方を向くように傾斜して昇降装置３３に保持されている。換言すれば、一対のスキージ３４，３４の各々は、後退側に位置する背面部が上方を向くように傾斜して昇降装置３３に保持されている。一対のスキージ３４，３４の各々の傾斜角度は、昇降装置３３の下部に設けられている調整機構によって調整される。
【００２４】
表示装置４０は、印刷機１の作業状況を表示することができる。また、表示装置４０は、タッチパネルにより構成されており、印刷機１の使用者による種々の操作を受け付ける入力装置としても機能する。
【００２５】
制御装置５０は、公知の演算装置および記憶装置を備えており、制御回路が構成されている（いずれも図示略）。制御装置５０は、ネットワークを介して管理装置と通信可能に接続されており、各種データを送受信することができる。制御装置５０は、生産プログラム、各種センサによって検出された検出結果などに基づいて、基板搬送装置１０、マスク支持装置２０、スキージ移動装置３０および表示装置４０を駆動制御する。
【００２６】
図２に示すように、制御装置５０は、制御ブロックとして捉えると、取得部５１と、出力部５２と、印刷制御部５３とを備えている。また、制御装置５０には、データベース６０が設けられている。取得部５１、出力部５２およびデータベース６０の説明は、後記されている。
【００２７】
印刷制御部５３は、例えば、スキージ移動装置３０を駆動制御する。この場合、印刷制御部５３は、記憶装置に記憶されている各種情報および印刷機１に設けられている各種センサの検出結果を取得する。記憶装置は、例えば、ハードディスク装置などの磁気記憶装置、フラッシュメモリなどの半導体素子を使用した記憶装置などを用いることができる。記憶装置には、印刷機１を駆動させる生産プログラムなどが記憶される。
【００２８】
印刷制御部５３は、上記の各種情報および検出結果などに基づいて、スキージ移動装置３０に制御信号を送出する。これにより、スキージヘッド３２に保持されている一対のスキージ３４，３４のＹ軸方向の位置およびＺ軸方向の位置（高さ）、並びに、移動速度および傾斜角度が制御される。
【００２９】
１−２．印刷処理の一例
基板搬送装置１０によって基板９０が搬入され、基板９０がマスク７０の下面側の所定位置に配置されると、印刷処理が実行される。また、印刷処理の開始時には、マスク７０の上面に、はんだ８０が供給される。図１に示すように、はんだ８０は、練り合わせ処理によって、はんだロール８１が形成される。
【００３０】
はんだロール８１は、ペースト状のクリームはんだが一対のスキージ３４，３４によって練り合わされて形成される。はんだロール８１は、スキージ３４の長さ方向（Ｘ軸方向）に延び、且つ、印刷方向（Ｙ軸方向）の幅が概ね均一となった状態のはんだ８０である。以下の説明では、はんだロール８１は、適宜、はんだ８０として記載されている。
【００３１】
印刷制御部５３は、最初に準備工程を実行する。一対のスキージ３４，３４のうちの一方のスキージ３４を第一スキージとする。また、一対のスキージ３４，３４のうちの他方のスキージ３４を第二スキージとする。第一スキージは、準備工程において、マスク７０の上方に退避した所定の位置（高さ）に位置決めされる。さらに、第一スキージは、はんだロール８１のＹ軸方向位置よりも後退側となる所定の位置に位置決めされる。
【００３２】
次に、印刷制御部５３は、スキージ下降工程を実行して、第一スキージの下端部がマスク７０に接触する印刷位置（高さ）まで第一スキージを下降させる。これにより、第一スキージがマスク７０に所定の圧力をもって接触する状態となる。続いて、印刷制御部５３は、ヘッド駆動装置３１を駆動制御して、印刷工程を実行する。
【００３３】
印刷制御部５３は、印刷工程において、上記の印刷位置（高さ）を維持した状態で、第一スキージを進行方向に移動させる。そして、マスク７０の上面に供給されたはんだロール８１は、第一スキージの移動に伴ってマスク７０に沿って移動される。このとき、はんだロール８１がマスク７０の開口部７１から基板９０に刷り込まれて、マスク７０の下面側に配置された基板９０の上面に、はんだ８０が印刷される。
【００３４】
印刷制御部５３は、第一スキージが所定の印刷範囲を通過した後に、昇降装置３３を駆動制御して、スキージ上昇工程を実行する。スキージ上昇工程において、第一スキージは、はんだロール８１から離間される。このとき、印刷制御部５３は、所定の移動軌跡に沿って所定の移動速度で、第一スキージを上昇させる。上記の移動軌跡および移動速度は、例えば、使用中のはんだロール８１の物性などに基づいて設定される。次に、印刷制御部５３は、第一スキージから第二スキージに切り替えて、スキージヘッド３２がＹ軸方向に往復されるように、上記の印刷処理を繰り返す。
【００３５】
１−３．第一の印刷パラメータ取得装置１００の構成例
例えば、基板９０のサイズ、厚みなどが異なると、基板保持部１１が基板９０を保持しているときの基板９０の撓み量が変動する可能性がある。そのため、はんだ８０の印刷精度を向上させようとすると、基板９０のサイズ、厚みなどに合わせて、印刷機１の駆動の制御に用いられる印刷パラメータ（この場合、例えば、印刷圧力、版離れ速度、版離れ距離など）を変更する必要がある。本明細書では、基板９０にはんだ８０を印刷するときに使用する部材（この場合、基板）を特定する指標を印刷条件という。
【００３６】
このように、基板９０にはんだ８０を印刷するときに使用する部材が異なると、印刷パラメータを変更する必要がある。しかしながら、部材の数が多くなるほど、印刷パラメータの設定作業が煩雑になる。また、印刷条件から適切な印刷パラメータを導出するには、印刷専門のエンジニアの経験と印刷実績が必要な場合が多い。
【００３７】
具体的には、印刷専門のエンジニアがこれまでの経験から暫定の印刷パラメータを算出し、暫定の印刷パラメータを用いたテスト印刷を繰り返して、適切な印刷パラメータが導出される。そのため、印刷機１の製造者側のエンジニア、評価部門、営業部門などのアドバイスが必要であり、印刷機１の使用者が印刷条件から適切な印刷パラメータを導出することは困難である。
【００３８】
そこで、本実施形態の印刷機１は、第一の印刷パラメータ取得装置１００を備えている。図２に示すように、第一の印刷パラメータ取得装置１００は、取得部５１と、出力部５２とを備えている。取得部５１は、基板９０にはんだ８０を印刷するときに使用する部材を特定する印刷条件を取得する。出力部５２は、データベース６０から、取得部５１によって取得された印刷条件に対応する印刷条件に関連付けられている印刷パラメータであって信頼度が所定レベル以上の印刷パラメータを出力する。
【００３９】
第一の印刷パラメータ取得装置１００は、図３に示すフローチャートに従って、制御を実行する。取得部５１は、ステップＳ１１に示す処理を行う。出力部５２は、ステップＳ１２およびステップＳ１３に示す処理を行う。なお、印刷パラメータが決定し、生産プログラムが確定すると、印刷制御部５３は、印刷処理を実行する。また、印刷処理が完了すると、第一の印刷パラメータ取得装置１００は、印刷パラメータの信頼度を更新して、必要なデータをデータベース６０に記憶させる。
【００４０】
１−３−１．データベース６０の構成例
データベース６０には、印刷条件、印刷機１の駆動の制御に用いられる印刷パラメータおよび印刷パラメータの信頼度が関連付けられて記憶されている。印刷条件は、基板９０にはんだ８０を印刷するときに使用する部材を特定可能であれば良く、限定されない。本実施形態の印刷条件は、基板９０にはんだ８０を印刷するときに使用する部材である基板９０、はんだ８０、マスク７０およびスキージ３４のうちの少なくとも一つを特定すると好適である。
【００４１】
例えば、基板９０のサイズ、厚み、材質（例えば、柔軟度などを含む）およびレジスト（絶縁層）の厚み、並びに、基板製品の用途（例えば、一般民生用機器、車載用機器など）は、基板９０を特定する印刷条件に含まれる。また、例えば、はんだ８０の製造メーカ、型式、粒径、粘度およびチキソ比（チクソ比）は、はんだ８０を特定する印刷条件に含まれる。
【００４２】
さらに、例えば、マスク７０の開口部の形状（例えば、円形、正方形、長方形など）、開口部のサイズ、マスク７０の厚み、枠サイズおよびハーフエッチングの有無、印刷後の基板９０に実装されるべき部品のサイズは、マスク７０を特定する印刷条件に含まれる。また、例えば、スキージ３４の材質（例えば、メタルスキージ、ウレタンスキージなど）および厚みは、スキージ３４を特定する印刷条件に含まれる。
【００４３】
印刷パラメータは、印刷機１の駆動の制御に用いられるものであれば良く、限定されない。本実施形態の印刷パラメータは、印刷速度、印刷圧力、版離れ速度、版離れ距離、マスク７０のクリーニング間隔およびクリーニング方法、並びに、印刷時のスキージ３４の角度のうちの少なくとも一つを制御する際の制御パラメータであると好適である。
【００４４】
印刷速度は、印刷工程において、スキージ３４が進行方向に移動するときの移動速度をいう。印刷圧力は、印刷工程において、スキージ３４がマスク７０に付与する圧力をいう。版離れ速度および版離れ距離は、印刷工程の後に、基板９０からマスク７０を離すときの速度および距離（高さ）をいう。クリーニング間隔およびクリーニング方法は、マスク７０を清掃する間隔および方法をいう。
【００４５】
例えば、乾式、湿式（例えば、アルコールなどを塗布して清掃する方法）および吸引式（マスク７０に残留する残留物を吸引して清掃する方法）は、クリーニング方法に含まれる。スキージ３４の角度は、印刷工程において、スキージ３４が進行方向に移動するときのマスク７０に対するスキージ３４の角度をいう。
【００４６】
印刷パラメータの信頼度は、例えば、合致点数、印刷パラメータを使用して生産した基板製品の生産数、スループット、良品率、基板９０に印刷されたはんだ８０の面積、高さおよび体積の各々についての目標値に対する偏差などによって表すことができる。合致点数は、取得部５１によって取得された印刷条件とデータベース６０に記憶されている印刷条件との合致度について、印刷条件ごとの重み付けを示す係数を乗じて点数化したものをいう。
【００４７】
スループットは、印刷機１が基板９０の搬入を開始してから基板９０にはんだ８０を印刷して印刷機１から基板９０を搬出可能になるまでの間の単位時間あたりの処理能力をいう。良品率は、印刷パラメータを使用して複数の基板製品を生産したときの良品の割合をいう。印刷パラメータの信頼度については、出力部５２の説明において、詳細に説明されている。
【００４８】
図４は、データベース６０において、印刷条件、印刷パラメータおよび印刷パラメータの信頼度が関連付けられて記憶されている状態を模式的に示している。Ｎｏ．１は、データ６Ａ１で示される基板９０を特定する印刷条件と、データ６Ｂ１で示されるはんだ８０を特定する印刷条件と、データ６Ｃ１で示されるマスク７０を特定する印刷条件とが関連付けられてデータベース６０に記憶されていることを示している。また、Ｎｏ．１は、データ６Ｄ１で示される印刷速度を制御する印刷パラメータと、データ６Ｅ１で示される印刷圧力を制御する印刷パラメータとが関連付けられてデータベース６０に記憶されていることを示している。
【００４９】
さらに、Ｎｏ．１は、データ６Ｆ１で示される基板製品の生産数によって表される印刷パラメータの信頼度と、データ６Ｇ１で示される良品率によって表される印刷パラメータの信頼度と、データ６Ｈ１で示される偏差によって表される印刷パラメータの信頼度とが関連付けられてデータベース６０に記憶されていることを示している。また、Ｎｏ．１は、上記の印刷条件、印刷パラメータおよび印刷パラメータの信頼度が関連付けられてデータベース６０に記憶されていることを示している。
【００５０】
なお、同図では、図示の便宜上、印刷条件、印刷パラメータおよび印刷パラメータの信頼度の一部が模式的に示されている。例えば、基板９０を特定する印刷条件は、既述した複数の指標（例えば、基板９０のサイズ、厚み、材質およびレジストの厚み、並びに、基板製品の用途など）について、それぞれ記憶されている。上述したことは、他の印刷条件についても同様に言える。また、データベース６０は、既述した他の印刷条件、印刷パラメータおよび印刷パラメータの信頼度を記憶することもできる。さらに、上述したことは、Ｎｏ．２以降のデータについても同様に言える。
【００５１】
図２に示すように、データベース６０は、第一データベース６１と、第二データベース６２とを備えると好適である。第一データベース６１は、印刷機１の製造者によって設けられる。第一データベース６１には、主に、印刷機１の導入初期に使用するデータが記憶される。既述したように、印刷条件から適切な印刷パラメータを導出するには、印刷専門のエンジニアの経験と印刷実績が必要な場合が多い。そのため、第一データベース６１には、印刷機１の製造者側の印刷専門のエンジニアの経験と印刷実績に基づいて作成されるデータ（印刷条件、印刷パラメータおよび印刷パラメータの信頼度）を記憶させると良い。
【００５２】
第二データベース６２は、印刷機１の使用者が印刷機１を使用して基板製品を生産したときに用いられた印刷条件、印刷パラメータおよび印刷パラメータの信頼度が関連付けられて記憶される。つまり、第二データベース６２には、印刷機１の使用者が生産した基板製品に関連するデータが記憶される。そのため、印刷機１の使用者が基板製品を生産するほど、当該データが蓄積し、印刷機１の使用者が生産する基板製品に合致した印刷パラメータが得られ易くなる。また、印刷機１の使用者側のエンジニアが、基板製品の生産結果に基づいて印刷パラメータを調整することにより、印刷パラメータの信頼度の向上が期待できる。
【００５３】
また、第二データベース６２は、印刷機１を駆動させる生産プログラムに含まれる印刷パラメータのうちの少なくとも一部が変更されたときに、印刷条件、変更後の印刷パラメータおよび変更後の印刷パラメータの信頼度を新たに関連付けて記憶すると好適である。これにより、第二データベース６２は、生産プログラムに含まれる印刷パラメータのうちの少なくとも一部が変更されたときに、印刷条件、変更後の印刷パラメータおよび変更後の印刷パラメータの信頼度を適切に関連付けて記憶することができる。
【００５４】
例えば、図４に示すＮｏ．１のデータにおいて、データ６Ｄ１で示される印刷速度を制御する印刷パラメータが変更されたとする。この場合、第二データベース６２は、Ｎｏ．１のデータを更新するのではなく、Ｎｏ．１のデータと別個に記憶領域を確保し、印刷条件、変更後の印刷パラメータおよび変更後の印刷パラメータの信頼度を関連付けて記憶する。なお、第一データベース６１および第二データベース６２は、同一のデータ構造で構築されていると良い。また、データベース６０は、正規化されていると良い。これらにより、印刷パラメータの検索が容易になり、印刷パラメータの検索時間を短縮し易い。
【００５５】
１−３−２．取得部５１
取得部５１は、基板９０にはんだ８０を印刷するときに使用する部材を特定する印刷条件を取得する（図３に示すステップＳ１１）。取得部５１は、例えば、図５Ａに示す入力画面を用いて、印刷条件を取得することができる。入力画面は、例えば、図１および図２に示す表示装置４０に表示される。
【００５６】
印刷機１の使用者は、破線ＢＬ１で囲まれる操作部ＢＰ１１〜操作部ＢＰ４１を操作することにより、表示装置４０に作業フェーズを表示させることができる。使用者が操作部ＢＰ１１を操作すると、表示装置４０は、生産プログラムの作成段階における作業を表示する。使用者が操作部ＢＰ２１を操作すると、表示装置４０は、生産段階における作業を表示する。使用者が操作部ＢＰ３１を操作すると、表示装置４０は、片付け段階における作業を表示する。使用者が操作部ＢＰ４１を操作すると、表示装置４０は、エラー発生段階における作業を表示する。
【００５７】
また、印刷機１の使用者は、作業フェーズを選択した後に、破線ＢＬ２で囲まれる操作部（同図では、操作部ＢＰ１２〜操作部ＢＰ１８が図示されている。）を順に操作することにより、各作業フェーズにおける作業の選択または入力が可能になる。また、表示装置４０は、各作業フェーズにおける作業状況を表示することもできる。まず、使用者が操作部ＢＰ１２を操作すると、既述した基板９０を特定する印刷条件の選択または入力が可能になる。
【００５８】
次に、使用者が操作部ＢＰ１３を操作すると、基板９０に設けられる位置決め基準部（図示略）の座標および形状などの選択または入力が可能になる。続いて、使用者が操作部ＢＰ１４を操作すると、既述したはんだ８０を特定する印刷条件、マスク７０を特定する印刷条件などの選択または入力が可能になる。同図は、はんだ８０の粒径ＰＳ１、粘度ＶＣ１およびチキソ比ＴＨ１が入力された状態を示している。
【００５９】
また、同図は、マスク７０の目標開口部の形状（例えば、円形）が選択され、目標開口部のサイズＭＳ１、マスク７０の厚みＭＴ１、枠サイズＦＳ１が入力された状態を示している。さらに、同図は、基板製品の用途ＵＳ１が入力された状態を示している。なお、マスク７０の目標開口部は、マスク７０に設けられる複数の開口部のうちのサイズが最小の開口部をいう。また、入力画面は、マスク７０の目標開口部のサイズＭＳ１に加えて、印刷後の基板９０に実装されるべき複数の部品のうちの最小の部品のサイズを入力可能であっても良い。入力画面は、マスク７０の目標開口部のサイズＭＳ１の代わりに、印刷後の基板９０に実装されるべき複数の部品のうちの最小の部品のサイズを入力可能であっても良い。
【００６０】
さらに、例えば、使用者がはんだ８０のメーカおよび型式などを選択または入力することによって、予め記憶しているはんだ８０の粒径、粘度およびチキソ比などが自動的に入力されるようにしても良い。上述したことは、他の印刷条件の入力についても同様に言える。次に、使用者が操作部ＢＰ１５を操作すると、マスク７０のクリーニングに関する設定が可能になる。続いて、使用者が操作部ＢＰ１６を操作すると、段取り替えの作業が可能になる。次に、使用者が操作部ＢＰ１７を操作すると、クランプ確認の作業が可能になる。続いて、使用者が操作部ＢＰ１８を操作すると、テスト印刷が可能になる。
【００６１】
１−３−３．出力部５２
出力部５２は、データベース６０から、取得部５１によって取得された印刷条件に対応する印刷条件に関連付けられている印刷パラメータであって信頼度が所定レベル以上の印刷パラメータを出力する（図３に示すステップＳ１２およびステップＳ１３）。例えば、出力部５２は、図５Ｂに示す出力画面を用いて、印刷パラメータを出力することができる。出力画面は、入力画面と同様に、例えば、図１および図２に示す表示装置４０に表示される。
【００６２】
出力部５２は、取得部５１によって取得された印刷条件とデータベース６０に記憶されている印刷条件との合致度について、印刷条件ごとの重み付けを示す係数を乗じて点数化すると好適である。そして、出力部５２は、合致度を示す合致点数が高いほど取得部５１によって取得された印刷条件とデータベース６０に記憶されている印刷条件とが対応していると判断すると好適である。
【００６３】
例えば、基板９０のサイズが大きくなり、基板９０の厚みが薄くなるほど、基板９０の撓み量は、増加し易くなる。印刷処理において、基板９０の撓み量を重視する場合には、例えば、基板９０のサイズおよび厚みを特定する印刷条件の重み付けを示す係数を、他の印刷条件と比べて大きくすると良い。
【００６４】
図６は、このときの合致点数の算出方法の一例を示している。基板９０のサイズおよび厚みの上記係数は、５に設定され（一致しているときに５倍する）、他の上記係数は、１に設定されている（一致しているときに１倍する）。データベース６０に記憶されている例１の印刷条件は、例２の印刷条件と比べて、合致する印刷条件の数が多い。しかしながら、上記係数を乗じた例１の合計点数（合致点数）は、７点であり、例２の合計点数（１０点）と比べて小さい。よって、上記の重み付けにおいて、データベース６０に記憶されている例２の印刷条件は、例１の印刷条件と比べて、取得部５１によって取得された印刷条件に対応していると判断される。
【００６５】
このように、重み付けを示す係数の大きさによって、印刷条件の対応度が変動する。よって、印刷条件の重み付けを示す係数は、例えば、印刷機１の製造者側の印刷専門のエンジニアの経験と印刷実績に基づいて決定されると良い。当該エンジニアは、上述した影響度を考慮して、上記係数を決定する。また、印刷条件の重み付けを示す係数は、固定値であっても良く、例えば、基板製品の種類ごとに変更可能な可変値であっても良い。
【００６６】
さらに、取得部５１は、印刷機１の使用者による係数の変更を受け付けることもできる。取得部５１は、例えば、図５Ａに示す入力画面を用いて、印刷機１の使用者による係数の変更を受け付けることができる。この場合、例えば、印刷機１の使用者側のエンジニアが印刷実績に基づいて、印刷条件の重み付けを示す係数を調整することができる。これにより、印刷機１の使用者が生産する基板製品に好適な上記係数が設定され易くなる。
【００６７】
合致点数が高いほど、取得部５１によって取得された印刷条件と、データベース６０に記憶されている印刷条件とが対応している。よって、合致点数が高い印刷条件（対応度が高い印刷条件）に関連付けられている印刷パラメータほど、過去の基板製品の生産状況を再現し易くなり、当該印刷パラメータを使用する信頼度が高いと言える。つまり、印刷パラメータの信頼度は、合致点数によって表すことができる。この場合、出力部５２は、合致点数が所定点数以上の印刷パラメータ（信頼度が所定レベル以上の印刷パラメータに相当）を出力する。また、出力部５２は、合致点数が高いものから順に印刷パラメータを出力すると好適である。
【００６８】
例えば、取得部５１が、図４のデータ６Ａ１で示される基板９０を特定する印刷条件と、データ６Ｂ２で示されるはんだ８０を特定する印刷条件と、データ６Ｃ２で示されるマスク７０を特定する印刷条件とを取得したとする。この場合、出力部５２は、合致点数が最も高い印刷パラメータ（データ６Ｄ３で示される印刷速度を制御する印刷パラメータと、データ６Ｅ２で示される印刷圧力を制御する印刷パラメータ）を出力する。
【００６９】
図５Ｂは、印刷パラメータの出力例を示している。同図は、合致点数が最も高い印刷パラメータのうち、印刷速度ＰＶ１、印刷圧力ＰＰ１、版離れ速度ＳＳ１，ＳＳ２、版離れ距離ＳＤ１，ＳＤ２、マスク７０のクリーニング間隔ＣＬ１およびクリーニング方法ＭＥ１が出力された状態を示している。図５Ｂに示す印刷速度ＰＶ１は、図４のデータ６Ｄ３で示される印刷速度を制御する印刷パラメータに相当する。図５Ｂに示す印刷圧力ＰＰ１は、図４のデータ６Ｅ２で示される印刷圧力を制御する印刷パラメータに相当する。図４では、版離れ速度などの他の印刷パラメータの記載が省略されている。版離れ速度および版離れ距離は、例えば、二段階で設定される。破線ＢＬ３で囲まれる領域には、第一の版離れ距離ＳＤ１および版離れ速度ＳＳ１が出力される。破線ＢＬ４で囲まれる領域には、第二の版離れ距離ＳＤ２および版離れ速度ＳＳ２が出力される。
【００７０】
なお、同図では、マスク７０のクリーニング間隔ＣＬ１およびクリーニング方法ＭＥ１は、模式的に示されているが、これらは、アイコンなどによって視覚的に表示することができる。また、出力部５２は、印刷時のスキージ３４の角度を出力することもできる。さらに、使用者が操作部ＢＰ５１を操作すると、合致点数が二番目に高い印刷パラメータが出力される。使用者が操作部ＢＰ５１を操作する毎に、表示されている印刷パラメータより合致点数が下位の印刷パラメータが出力される。
【００７１】
逆に、使用者が操作部ＢＰ５２を操作する毎に、表示されている印刷パラメータより合致点数が上位の印刷パラメータが出力される。また、出力部５２は、印刷パラメータを一覧表示させることもできる。上述したことは、出力部５２が以下に示す印刷パラメータの信頼度に基づいて印刷パラメータを出力する場合についても、同様に言える。
【００７２】
印刷パラメータを使用して生産した基板製品の生産数が多くなるほど、当該印刷パラメータを使用した生産実績が高いと言える。よって、基板製品の生産数が多い印刷パラメータほど、当該印刷パラメータを使用する信頼度が高いと言える。つまり、印刷パラメータの信頼度は、印刷パラメータを使用して生産した基板製品の生産数によって表すことができる。この場合、出力部５２は、基板製品の生産数が所定数以上の印刷パラメータ（信頼度が所定レベル以上の印刷パラメータに相当）を出力する。また、出力部５２は、生産数が多いものから順に印刷パラメータを出力すると好適である。
【００７３】
ここで、印刷機１が基板９０の搬入を開始してから基板９０にはんだ８０を印刷して印刷機１から基板９０を搬出可能になるまでの間の単位時間あたりの処理能力をスループットという。スループットは、シミュレーション、実際に基板製品を生産したときの実績などに基づいて、取得することができる。スループットが高くなるほど、基板製品の生産時間を短縮し易い。例えば、印刷速度が速く設定されている印刷パラメータほど、スループットが高くなり易く、基板製品の生産時間を短縮し易い。
【００７４】
よって、基板製品の生産時間を優先して印刷パラメータを出力させたい場合、スループットが高くなる印刷パラメータほど、当該印刷パラメータを使用する信頼度が高いと言える。つまり、印刷パラメータの信頼度は、スループットによって表すことができる。この場合、出力部５２は、スループットが所定レベル以上の印刷パラメータ（信頼度が所定レベル以上の印刷パラメータに相当）を出力する。また、出力部５２は、スループットが高いものから順に印刷パラメータを出力すると好適である。
【００７５】
また、印刷パラメータを使用して複数の基板製品を生産したときの良品の割合を良品率という。基板製品の良否は、印刷検査機によって判定することができる。印刷検査機は、基板９０に印刷されたはんだ８０の面積、高さおよび体積の各々について、良品と判定する基準範囲を設定する。そして、印刷検査機は、基板９０の複数の印刷位置のすべてにおいて、はんだ８０の面積、高さおよび体積のすべてが基準範囲に収まるときに、当該基板９０を良品と判定する。逆に、印刷検査機は、基板９０の少なくとも一つの印刷位置において、はんだ８０の面積、高さおよび体積の少なくとも一つが基準範囲から外れているときに、当該基板９０を不良品と判定する。
【００７６】
良品率が高い（１００％に近い）印刷パラメータほど、当該印刷パラメータを使用する信頼度が高いと言える。つまり、印刷パラメータの信頼度は、良品率によって表すことができる。この場合、出力部５２は、良品率が所定割合以上の印刷パラメータ（信頼度が所定レベル以上の印刷パラメータに相当）を出力する。また、出力部５２は、良品率が高いものから順に印刷パラメータを出力すると好適である。
【００７７】
なお、はんだ８０の面積、高さおよび体積のすべてが基準範囲に収まっていても、基板９０の複数の印刷位置におけるばらつきが大きくなるほど、印刷品質は、劣化し易い。例えば、印刷されたはんだ８０の面積が目標値（はんだ８０が印刷されるべき領域の面積）に対して小さくなるほど、はんだ８０の欠けが生じ易い。逆に、印刷されたはんだ８０の面積が目標値に対して大きくなるほど、はんだ８０の滲みが生じ易い。また、印刷されたはんだ８０の高さが目標値に対して低くなるほど、はんだ８０のかすれが生じ易い。逆に、印刷されたはんだ８０の高さが目標値に対して高くなるほど、はんだ８０の角立ちが生じ易い。
【００７８】
つまり、印刷パラメータの信頼度は、基板９０に印刷されたはんだ８０の面積、高さおよび体積の各々についての目標値に対する偏差によって表すことができる。この場合、出力部５２は、上記偏差が所定値以下の印刷パラメータ（信頼度が所定レベル以上の印刷パラメータに相当）を出力する。また、出力部５２は、上記偏差が小さいものから順に印刷パラメータを出力すると好適である。
【００７９】
図７は、基板９０に印刷されたはんだ８０の面積の偏差を表示する表示方法の一例を示している。同図の横軸は、時刻を示し、縦軸は、はんだ８０の面積（目標値に対する割合）を示している。チャートＣＨ１は、一の基板９０に印刷されたはんだ８０の面積についての目標値に対する偏差の一例を示している。チャートＣＨ２は、他の一の基板９０に印刷されたはんだ８０の面積についての目標値に対する偏差の一例を示している。
【００８０】
最大値ＭＡＸ１は、一の基板９０の複数の印刷位置にそれぞれ印刷されたはんだ８０の面積の目標値に対する割合の最大値をいう。最小値ＭＩＮ１は、一の基板９０の複数の印刷位置にそれぞれ印刷されたはんだ８０の面積の目標値に対する割合の最小値をいう。平均値ＡＶＧ１は、一の基板９０の複数の印刷位置にそれぞれ印刷されたはんだ８０の面積の目標値に対する割合の平均値をいう。最大値ＭＡＸ２、最小値ＭＩＮ２および平均値ＡＶＧ２については、一の基板９０を他の一の基板９０に読み替えることにより、上述したことが同様に言える。
【００８１】
同図に示す例では、チャートＣＨ２の最大値ＭＡＸ２から最小値ＭＩＮ２を減じた偏差は、チャートＣＨ１の最大値ＭＡＸ１から最小値ＭＩＮ１を減じた偏差と比べて大きい。よって、チャートＣＨ２で示される他の一の基板９０は、チャートＣＨ１で示される一の基板９０と比べて、印刷品質が劣化している可能性がある。このように、基板９０に印刷されたはんだ８０の面積の偏差が表示されると、印刷機１の使用者は、印刷品質の優劣を判断し易い。上述したことは、はんだ８０の高さおよび体積についても同様に言える。
【００８２】
なお、印刷パラメータの信頼度は、既述した複数の指標によって表すこともできる。つまり、印刷パラメータの信頼度は、合致点数、印刷パラメータを使用して生産した基板製品の生産数、スループット、良品率、並びに、基板９０に印刷されたはんだ８０の面積、高さおよび体積の各々についての目標値に対する偏差のうちの少なくとも一つで表すことができる。また、出力部５２は、複数の指標が良好のものから順に印刷パラメータを出力することもできる。例えば、出力部５２は、合致点数が最も高く、且つ、基板製品の生産数が最も多いものから順に印刷パラメータを出力することができる。上述したことは、複数の指標の他の組み合わせについても、同様に言える。
【００８３】
さらに、出力部５２は、印刷パラメータの信頼度を表す所定の指標（例えば、合致点数）について、信頼度が高い（合致点数が高い）順に印刷パラメータを出力した後に、他の指標（例えば、基板製品の生産数）について、信頼度が高い（生産数が多い）順に印刷パラメータを並び替えることもできる。印刷パラメータの出力の切り替えは、例えば、印刷機１の使用者が出力画面の所定操作部を操作することによって実行される。また、印刷パラメータの信頼度を表す複数の指標について、優先順位を設定することもできる。この場合、優先順位が高い指標から、信頼度が高い順に印刷パラメータが並び替えられる。
【００８４】
既述したように、印刷パラメータが決定し、生産プログラムが確定すると、印刷制御部５３は、印刷処理を実行する。また、印刷処理が完了すると、第一の印刷パラメータ取得装置１００は、印刷パラメータの信頼度を更新して、必要なデータをデータベース６０に記憶させる。具体的には、第一の印刷パラメータ取得装置１００は、例えば、印刷検査機から印刷パラメータの信頼度（例えば、良品率）を受信して、第二データベース６２は、印刷条件、印刷パラメータおよび受信した印刷パラメータの信頼度（この場合、良品率）を関連付けて記憶する。
【００８５】
また、第一の印刷パラメータ取得装置１００は、例えば、印刷検査機から検査結果（例えば、複数の基板製品の各々の良否）を受信して、受信した検査結果に基づいて、印刷パラメータの信頼度（この場合、良品率）を作成しても良い。この場合、第二データベース６２は、印刷条件、印刷パラメータおよび作成した印刷パラメータの信頼度（この場合、良品率）を関連付けて記憶する。
【００８６】
上述したデータの記憶工程は、生産プログラムに含まれる印刷パラメータが変更されていないときに行われる。また、上述したデータの記憶工程は、生産プログラムに含まれる印刷パラメータの少なくとも一部が変更されたときに、変更前の印刷パラメータおよび変更前の印刷パラメータの信頼度について行われる。なお、既述したように、第二データベース６２は、生産プログラムに含まれる印刷パラメータのうちの少なくとも一部が変更されたときに、印刷条件、変更後の印刷パラメータおよび変更後の印刷パラメータの信頼度を新たに関連付けて記憶する。
【００８７】
１−４．第二の印刷パラメータ取得装置２００の構成例
印刷機１は、第二の印刷パラメータ取得装置２００を備えることもできる。図２に示すように、第二の印刷パラメータ取得装置２００は、第一の印刷パラメータ取得装置１００と同様に、取得部５１と、出力部５２とを備えている。但し、第二の印刷パラメータ取得装置２００の出力部５２は、データベース６０から、取得部５１によって取得された印刷条件に対応する印刷条件に関連付けられている印刷パラメータおよび印刷パラメータの信頼度を出力する。データベース６０には、印刷条件、印刷機１の駆動の制御に用いられる印刷パラメータおよび印刷パラメータの信頼度が関連付けられて記憶されている。
【００８８】
また、第二の印刷パラメータ取得装置２００の出力部５２は、第一の印刷パラメータ取得装置１００と同様に、信頼度が所定レベル以上の印刷パラメータを出力すると好適である。出力部５２がデータベース６０から、印刷パラメータおよび印刷パラメータの信頼度を出力する点以外は、第一の印刷パラメータ取得装置１００と同様であり、本明細書では、重複する説明が省略されている。
【００８９】
第二の印刷パラメータ取得装置２００の出力部５２は、例えば、図５Ｂに示す出力画面を用いて、印刷パラメータおよび印刷パラメータの信頼度を出力することができる。同図は、既述した印刷パラメータと共に、印刷パラメータの信頼度が出力された状態を示している。印刷パラメータの信頼度は、例えば、既述した基板製品の生産数ＮＰ１、良品率ＧＰ１、並びに、既述したはんだ８０の面積などの偏差ＤＥ１によって表されている。
【００９０】
２．その他
実施形態の第一および第二の印刷パラメータ取得装置１００，２００は、印刷機１の制御装置５０に設けられているが、印刷機１の外部に設けることもできる。第一および第二の印刷パラメータ取得装置１００，２００は、例えば、基板生産ラインを管理する管理装置に設けることもできる。また、第一および第二の印刷パラメータ取得装置１００，２００は、例えば、クラウド上に設けることもできる。
【００９１】
さらに、印刷機１は、スキージ３４およびマスク７０を用いる形態に限定されるものではない。印刷機１は、印刷ヘッドを用いて、基板９０の複数の印刷位置の各々に、はんだ８０を順に塗布する形態であっても良い。この場合、印刷条件は、基板９０およびはんだ８０のうちの少なくとも一つを特定すると好適である。また、印刷パラメータは、印刷速度および印刷圧力のうちの少なくとも一つを制御する際の制御パラメータであると好適である。
【００９２】
３．印刷パラメータ取得方法
第一および第二の印刷パラメータ取得装置１００，２００について既述したことは、印刷パラメータ取得方法についても同様に言える。具体的には、印刷パラメータ取得方法は、取得工程と、出力工程とを備えている。取得工程は、取得部５１が行う制御に相当する。出力工程は、出力部５２が行う制御に相当する。出力部５２が行う制御は、第一の印刷パラメータ取得装置１００の出力部５２が行う制御（第一の印刷パラメータ取得方法）であっても良く、第二の印刷パラメータ取得装置２００の出力部５２が行う制御（第二の印刷パラメータ取得方法）であっても良い。
【００９３】
４．実施形態の効果の一例
第一および第二の印刷パラメータ取得装置１００，２００によれば、出力部５２は、印刷条件、印刷パラメータおよび印刷パラメータの信頼度が関連付けられて記憶されているデータベース６０から、取得部５１によって取得された印刷条件に対応する印刷条件に関連付けられている印刷パラメータを出力する。よって、第一および第二の印刷パラメータ取得装置１００，２００は、印刷条件、印刷パラメータおよび印刷パラメータの信頼度の管理が容易であり、印刷パラメータの出力が容易である。
【００９４】
また、第一の印刷パラメータ取得装置１００の出力部５２は、信頼度が所定レベル以上の印刷パラメータを出力する。第二の印刷パラメータ取得装置２００の出力部５２は、印刷パラメータおよび印刷パラメータの信頼度を出力する。よって、第一および第二の印刷パラメータ取得装置１００，２００は、印刷機１の駆動の制御に用いられる印刷パラメータをより好適に出力することができる。第一および第二の印刷パラメータ取得装置１００，２００について上述したことは、印刷パラメータ取得方法についても同様に言える。
【符号の説明】
【００９５】
１：印刷機、３４：スキージ、５１：取得部、５２：出力部、
６０：データベース、６１：第一データベース、
６２：第二データベース、７０：マスク、８０：はんだ、
９０：基板、１００，２００：印刷パラメータ取得装置。
【図１】
2020217510.tif 000003
【図２】
2020217510.tif 000004
【図３】
2020217510.tif 000005
【図４】
2020217510.tif 000006
【図５Ａ】
2020217510.tif 000007
【図５Ｂ】
2020217510.tif 000008
【図６】
2020217510.tif 000009
【図７】
2020217510.tif 000010
【国際調査報告】
2020217510.tif 000011
2020217510.tif 000012